(57)【要約】【課題】  太陽の直射光を受けて高温となる場所に設置しても、合成樹脂製導光板の熱膨張収縮を吸収してそのトラブルを解消し且つ厚さを可及的に薄くした面照明体を提供する。【解決手段】  反射シート２、光拡散シート３、正面の透明カバー４を重合配置した導光板１に埋込み設置したインサートナット８１に対して、左右の支持枠５の起立板５２に配置したネジ可動孔５３を介して、該支持枠の上下端に重合して導光板１の上下に配置した端部保持枠７からのネジ８を螺入して、ディスプレーの面照明体Ａを構成する。ネジ可動孔５３が、導光板１の熱膨張収縮に応じてネジ８の移動を許容して、例えば１５ｍｍというように極めて薄い面照明体Ａとすることができる。透明カバー４のないものとして面照明体Ａを構成して、これを照明具とすることもできる。【選択図】  図６
2012109207.tif 000002
【特許請求の範囲】
【請求項１】
合成樹脂製導光板の熱膨張収縮を、該導光板の支持枠に配置した熱膨張収縮吸収用のネジ可動孔を介して導光板に螺入したネジによって吸収自在とした面照明体であって、上記導光板を部材重合のベース板としてその裏面に反射板又は反射シートを重合配置し、上記支持枠を、ＬＥＤ光源を収納した光源ホルダーと該光源ホルダーから上記反射板又は反射シートの裏面に沿うように一体又は一体的に配置した起立板を有して断面Ｌ字状乃至断面Ｕ字状とするとともに該支持枠の起立板に上記ネジ可動孔を透設してなることを特徴とする面照明体。
【請求項２】
上記導光板の正面に導光板からの出射光を拡散する光拡散板又は光拡散シートを重合固定してなることを特徴とする請求項１に記載の面照明体。
【請求項３】
上記導光板にインサートナットを配置し、該インサートナットに支持枠の起立板からネジ可動孔を介したネジを螺入してなることを特徴とする請求項１又は２に記載の面照明体。
【請求項４】
上記光拡散板又は光拡散シートの正面に透明カバーを重合配置し、該透明カバーを、上記支持枠の起立板に長手方向端部を重合配置し且つ上記導光板に螺入したネジで該支持枠に一体的に固定した端部保持枠によって保持してなることを特徴とする請求項２又は３に記載の面照明体。
【請求項５】
上記端部保持枠を、一体又は一体的な断面Ｕ字状にして少なくとも透明カバー側正面を透明な合成樹脂によって形成してなることを特徴とする請求項４に記載の面照明体。
【発明の詳細な説明】
【技術分野】
【０００１】
本発明は、ＬＥＤ光源の入射光を導光板で導光して、導光板による照明を行う照明具や、導光板とその正面の透明カバー間に配置したポジフィルム等の光透過材を背面照明することによってディスプレーやサイン等の各種用途に用いる面照明体に関する。
【背景技術】
【０００２】
この種の面照明体は、可及的高輝度とするために消費電力の大きなＬＥＤ光源を使用した場合における該ＬＥＤ光源の発熱に起因する、合成樹脂製の導光板が熱膨張収縮する可能性がある上、該面照明体の設置場所が高温や高湿の環境に置かれたときにも同様に熱膨張収縮する可能性がある。このため、例えば、太陽の直射光を受ける屋外に南面に向くように設置した場合に太陽光の直射熱を受けて合成樹脂製の導光板が熱膨張する可能性があるが、本発明者は、ベース板と、該ベース板を部材の重合基体として、例えば、これに反射板、導光板、光拡散板、透明カバーを重合配置し、上記支持枠を、ＬＥＤ光源を収納した光源ホルダーと該光源ホルダーから上記ベース板の裏面に沿うように起立した起立板を有する対向一対のＬ字枠とするとともに該Ｌ字枠の起立板にネジ可動孔を配置する一方、上記透明カバーを、該支持枠の起立板に長手方向端部裏面を部分的に重合配置し且つ該支持枠に対して該支持枠から上記ネジ可動孔を介して上記導光板に螺入したネジで一体的に固定した外周の断面Ｕ字状の額縁によって支持したものを提案済みである。
【先行技術文献】
【特許文献】
【０００３】
【特許文献１】特願２００９−２４９１４３号
【発明の概要】
【発明が解決しようとする課題】
【０００４】
この場合、熱膨張収縮の不可避な合成樹脂製の導光板を使用しながら、照明輝度の低下を招くことなく、可及的簡易且つ確実に該熱膨張収縮に起因するトラブルの可能性を解消した、可及的に薄型の面照明体を提供することができるが、該面照明体を構成する部材として、ベース板を用いて、これを部材の重合基体として、他の面照明体の部材である反射板、導光板、透明カバー等を重合配置するものとするために、薄型ではあるも、ある程度の厚さを有するものとなり易い。
【０００５】
本発明はかかる事情に鑑みてなされたもので、その解決課題とするところは、面照明体としての照明機能及び熱膨張収縮追随機能を確保しつつ、更に可及的に厚さを薄くしても好適に使用可能な面照明体を提供するにある。
【課題を解決するための手段】
【０００６】
上記課題に沿って本発明は、部材重合用のベース板を、導光板によって代行するようにし、該導光板に対して、その裏面に反射板又は反射シートを重合配置するとともに支持枠の起立板に熱膨張収縮吸収用のネジ可動孔を配置し、該ネジ可動孔を介してネジを導光板に螺入することによって該導光板とその裏面の反射板を固定するようにして、可及的にシンプルな構造にして薄型とした面照明体を構成するようにしたものであって、即ち、請求項１に記載の発明を、合成樹脂製導光板の熱膨張収縮を、該導光板の支持枠に配置した熱膨張収縮吸収用のネジ可動孔を介して導光板に螺入したネジによって吸収自在とした面照明体であって、上記導光板を部材重合のベース板としてその裏面に反射板又は反射シートを重合配置し、上記支持枠を、ＬＥＤ光源を収納した光源ホルダーと該光源ホルダーから上記反射板又は反射シートの裏面に沿うように一体又は一体的に配置した起立板を有して断面Ｌ字状乃至断面Ｕ字状とするとともに該支持枠の起立板に上記ネジ可動孔を透設してなることを特徴とする面照明体としたものである。
【０００７】
請求項２に記載の発明は、上記に加えて、導光板の導光パタンが正面に露出するのを防止するように導光板からの出射光を拡散する光拡散板乃至光拡散シートを配置することにより、面照明を可及的均一にして且つ美麗なものとするように、これを、上記導光板の正面に導光板からの出射光を拡散する光拡散板又は光拡散シートを重合固定してなることを特徴とする請求項１に記載の面照明体としたものである。
【０００８】
請求項３に記載の発明は、同じく上記に加えて、上記導光板と反射板又は反射シートの固定を、導光板に配置したインサートナットを用いて、該インサートナットに対する上記支持枠の起立板からのネジの螺入によって行うことによって、熱膨張収縮に応じた安定且つ確実な固定をなし得るものとするように、これを、上記導光板にインサートナットを配置し、該インサートナットに支持枠の起立板からネジ可動孔を介したネジを螺入してなることを特徴とする請求項１又は２に記載の面照明体としたものである。
【０００９】
請求項４に記載の発明は、同じく上記に加えて、導光板を重合用のベース板としてその最正面に透明カバーを重合配置するとともに該透明カバーの保持のために、上記支持板と交差する対向端部の面照明体における上下又は左右端部に端部保持枠を配置し、ポジフィルム等の光透過材の設置乃至交換を、例えば、対向一方の端部保持枠を取り外すことによって可及的容易になし得るものとするように、これを、上記光拡散板又は光拡散シートの正面に透明カバーを重合配置し、該透明カバーを、上記支持枠の起立板に長手方向端部を重合配置し且つ上記導光板に螺入したネジで該支持枠に一体的に固定した端部保持枠によって保持してなることを特徴とする請求項２又は３に記載の面照明体としたものである。
【００１０】
請求項５に記載の発明は、同じく上記に加えて、該端部保持枠を用いたときに、該端部保持枠が有効照明面を狭小化することなく、該有効照明面を可及的広面積に確保したものとするように、これを、上記端部保持枠を、一体又は一体的な断面Ｕ字状にして少なくとも透明カバー側正面を透明な合成樹脂によって形成してなることを特徴とする請求項４に記載の面照明体としたものである。
【００１１】
本発明は、これらをそれぞれ発明の要旨として上記課題解決の手段としたものである。
【発明の効果】
【００１２】
本発明は以上のとおりに構成したから、請求項１に記載の発明は、部材重合用のベース板を、導光板によって代行するようにし、該導光板に対して、その裏面に反射板又は反射シートを重合配置するとともに支持枠の起立板に熱膨張収縮吸収用のネジ可動孔を配置し、該ネジ可動孔を介してネジを導光板に螺入することによって該導光板とその裏面の反射板を固定するようにして、可及的にシンプルな構造にして薄型とした面照明体を構成するようにして、照明具、ディスプレー、サイン等の各種用途の照明機能及び熱膨張収縮追随機能を確保しつつ、更に可及的に厚さを薄くして好適に使用可能な面照明体を提供することができる。
【００１３】
請求項２に記載の発明は、上記に加えて、導光板の導光パタンが正面に露出するのを防止するように導光板からの出射光を拡散する光拡散板乃至光拡散シートを配置することにより、面照明を可及的均一にして且つ美麗なものとすることができる。
【００１４】
請求項３に記載の発明は、同じく上記に加えて、上記導光板と反射板又は反射シートの固定を、導光板に配置したインサートナットを用いて、該インサートナットに対する上記支持枠の起立板からのネジの螺入によって行うことによって、熱膨張収縮に応じた安定且つ確実な固定をなし得るものとすることができる。
【００１５】
請求項４に記載の発明は、同じく上記に加えて、導光板を重合用のベース板としてその最正面に透明カバーを重合配置するとともに該透明カバーの保持のために、上記支持板と交差する対向端部の面照明体における上下又は左右端部に端部保持枠を配置し、ポジフィルム等の光透過材の設置乃至交換を、例えば、対向一方の端部保持枠を取り外すことによって可及的容易になし得るものとすることができる。
【００１６】
請求項５に記載の発明は、同じく上記に加えて、該端部保持枠を用いたときに、該端部保持枠が有効照明面を狭小化することなく、該有効照明面を可及的広面積に確保したものとすることができる。
【図面の簡単な説明】
【００１７】
【図１】面照明体の正面図である。
【図２】面照明体の背面図である。
【図３】面照明体の横断面図である。
【図４】図３の部分拡大図である。
【図５】起立板の部分拡大正面図である。
【図６】導光板等とネジの関係を示す部分斜視図である。
【発明を実施するための形態】
【００１８】
以下図面の例に従って本発明を更に具体的に説明すれば、Ａは面照明体であり、該面照明体Ａは、合成樹脂製導光板１の熱膨張収縮を、該導光板１の支持枠５に配置した熱膨張収縮吸収用のネジ可動孔５３を介して導光板１に螺入したネジ８によって吸収自在としたものとしてあり、これによって、面照明に用いるＬＥＤ光源の、例えば７０℃乃至それ以上の高温になると見られる発熱や、高温となる場所、例えば、太陽の直射光を受ける屋外乃至屋内に南面に向くように設置した場合等に生じる、合成樹脂製導光板１の熱膨張収縮を有効且つ適切に吸収して、該熱膨張収縮が生じることによって、例えば、ＬＥＤ光源の配線の負荷となる引張力により、該配線が破断したり、そのコネクター部位が破損したりすることによる照明不良が生じるのを防止してある。
【００１９】
このとき、該面照明体Ａは、上記導光板１を部材重合のベース板としてその裏面に反射板又は反射シート、本例にあっては反射シート２を重合配置し、上記支持枠５を、ＬＥＤ光源を収納した光源ホルダー５１と該光源ホルダー５１から上記反射シート２の裏面に沿うように一体又は一体的に配置した起立板５２を有して断面Ｌ字状乃至断面Ｕ字状、本例にあっては断面Ｌ字状とするとともに該支持枠５の起立板５２に上記ネジ可動孔を透設したものとしてあり、このとき、本例の面照明体Ａは、上記導光板１の正面に該導光板１からの出射光を拡散する光拡散板又は光拡散シート、本例にあっては光拡散シート３を重合固定したものとし、また、該光拡散シート３の正面に透明カバー４を重合配置し、該透明カバー４を、上記支持枠５の起立板５２に長手方向端部を重合配置し且つ上記導光板１に螺入したネジ８で該支持枠５に一体的に固定した端部保持枠７によって保持したものとして、該面照明体Ａを、例えばディスプレー乃至サイン用のものとしてある。
【００２０】
本例の導光板１は、熱膨張係数６．８×１０−５／Ｋを呈する、厚さ数ｍｍ、例えば５ｍｍ乃至３ｍｍ程度、本例にあっては３乃至５ｍｍにして、例えば１×２ｍ程度の縦長のアクリル透明樹脂板を用い、スクリーン印刷や成形による導光パタン（図示省略）を裏面に配置したものとしてあり、該導光パタンは、本例にあって左右に対向する入射端面に後述のＬＥＤ光源を配置することを前提として該入射端面１１から導光板１の中央位置に向けて密度を増変化した密度変化のパタンとしてあり、これによって入射端面１１からの入射光を中央位置に向けて導光して、該導光による照明を面内に可及的に均一化するようにしてある。また、本例の導光板１は、上下に対向する端面を反射端面として、該端面からの入射光の放出による入射光損失を可及的に防止するように、例えば該反射端面を鏡面としてある。
【００２１】
導光板１は、これを、他の部材の重合基板、即ち、重合配置のベースとして、反射板、本例にあっては上記反射シート２、上記光拡散シート３、透明カバー４を重合配置し、これらを上記ネジ８を用いて一体化することによって、該面照明体Ａは、導光板１をベース板を代行するベース板兼用のものとして、数ｍｍ、少なくとも１〜２ｍｍ程度の厚さを有するものとして、面照明体Ａの厚さを増加させることになる金属、合成樹脂等のベース板の使用を回避し、該面照明体Ａを可及的に薄肉の、例えば１５ｍｍ程度のものとして形成したものとしてある。
【００２２】
このとき該導光板１は、上記ネジの螺入用の雌ネジを備えており、本例の雌ネジは、該導光板１のコーナー近傍の４箇所に配置したインサートナット８１を配置したものとしてあり、このとき該インサートナット８１は、例えば導光板１の厚さ以下又はこれに等しい長さ、本例にあっては導光板１の厚さに等しい３ｍｍ長さのものとしてある。
【００２３】
反射シート２は、導光板１の裏面に重合配置してあり、該反射シート２は、０．数ｍｍ、本例にあって０．２ｍｍ程度の厚さにして、導光板１と同一面積を有する、高反射率の白色系合成樹脂、例えばポリエステル系のものとしてある。
【００２４】
光拡散シート３は、導光板１の表面に重合配置してあり、該光拡散シート３は、同じく０.数ｍｍ、本例にあって同様に０．２ｍｍ程度の厚さにして、導光板１と同一面積を有する、光拡散機能を有する透明乃至半透明合成樹脂、例えばポリエステル系のものとしてあり、本例にあって該光拡散シート３は導光板１に両面接着テープ、接着剤を用いて固定してある。
【００２５】
透明カバー４は、導光板１の表面に、本例にあって上記光拡散シート３を介して重合配置してあり、該透明カバー４は、例えば０．５〜２ｍｍ、本例にあって１ｍｍ程度の厚さにして、同じく導光板１と同一面積を有する、高い光透過率を呈する透明合成樹脂のものとしてある。
【００２６】
このように形成した導光板１、反射シート２、光拡散シート３及び透明カバー４は、その合計厚さを４ｍｍ以下の３．４ｍｍとするところ、これらに上記支持枠５と端部保持枠７を配置することによって、透明カバー４を取り外し自在として、これらを上記導光板１に配置したインサートナット８１に支持枠５の起立板５２乃至端部保持枠７から螺入したネジ８によって、導光板１、反射シート２及び拡散シート３を一体化し且つ透明カバー４を端部保持枠７に支持し、上記ネジ８、本例にあってはボルトを緩めて上方又は下方の端部保持枠７を取り外すことによって、ポジフィルム等の光透過材の装着乃至交換のために、該透明カバー４を取り外し自在として上記面照明体Ａを構成するものとしてある。
【００２７】
支持枠５は、上記光源ホルダー５１と起立板５２を有し、光源ホルダー５１をＬＥＤ光源、本例にあっては高輝度のＬＥＤユニット６を収容するとともにその開口溝から該ＬＥＤユニット６の入射光を導光板１の入射端面１１に供給自在とした断面Ｃ字状に形成し且つ該光源ホルダー５１の背面から起立板５２を起立配置することによって断面Ｌ字状をなすものとして、導光板１を挟むように対向して、本例にあって導光板１の左右に一対を配置してある。該支持枠５は、例えば、合成樹脂やアルミの押出形材、本例にあってはアルミ押出形材によって一体に成形したものとしてある。このとき該支持枠５は、その光源ホルダー５１の前後幅を１ｃｍ以下、例えば８ｍｍ程度、左右幅を同じく１ｃｍ以下、例えば４ｍｍ程度とするとともに該光源ホルダー５１を含めた起立板５２の左右幅を、例えば１０ｃｍ程度としたものとしてある。
【００２８】
該起立板５２には、導光板１を固定するためのネジ８、本例にあってはボルトを該導光板１の熱膨張収縮に応じて、これに追随して傾斜方向に移動可能とするように上記熱膨張収縮吸収用のネジ可動孔５３を透設してあり、本例にあって該ネジ可動孔５３は、導光板１の熱膨張収縮方向に向けた傾斜長孔としてあり、該傾斜長孔は、これを、面照明体Ａのコーナー位置に４箇所とするように、各起立板に配置してある。該傾斜長孔５３は、その角度を、本例の上記１ｍ×２ｍの縦長の導光板１にあって、例えば６０〜６５°程度、本例にあっては６３．５°としてあり、また、その幅を、該角度内でネジ８、即ちボルトが導光板１の熱膨張収縮に応じて安定且つ確実に移動し得る程度に、該ボルト径より幾分幅広のものとしてあり、このとき該傾斜長孔５３は、例えば、該起立板５２のコーナー近傍位置にして、該起立板５２の対角線上から上記角度となるように、該対角線の面内方向外方に向けて傾斜配置したものとしてある。
【００２９】
端部保持枠７は、一体又は一体的な断面Ｕ字状とすることによって、その基壁と前後壁とによって、基壁間に上記導光板１、反射シート２、光拡散シート３、透明カバー４を受入れる受入溝を配置したものとし、このときその透明カバー４側の正面を透明な合成樹脂によって形成して、上記支持枠５の端部に直交して重合するように対向して、本例にあって導光板１の上下に一対を配置してある。本例にあって該端部保持枠７は、これを、アクリル、ポリカーボネート等の高い光透過率の透明合成樹脂によってその基壁と前後壁を、同じく押出形材によって一体に成形した透明合成樹脂製のものとしてあり、本例の端部保持枠７は、ネジ挿通用の透孔、本例にあっては馬鹿穴を透設したものとしてある。従って、該端部保持枠を対向端部に配置するも、これによって透明カバーの有効照明面の面積を狭小化することのないようにしてある。本例の端部保持枠７は、例えば、その前後幅及び高さ幅をそれぞれ１．５ｃｍ程度としたものとしてある。
【００３０】
導光板１、反射シート２、光拡散シート３は、本例にあって、支持枠５側の裏面に反射シート２を、中央に導光板１を、その正面側に光拡散シート３を、導光板１をこれら配置のベース板とするように、該導光板に重合配置し、その左右の対向側面の側端面にあって上記支持枠５の開口溝を導光板左右の入射端面１１に臨むように且つ裏面の反射シート２の背面を起立板５２が覆うように支持枠５を配置してある。また、透明カバー４は、これを上記導光板１、本例にあってはこれに重合配置した光拡散シート３の正面側に、更に導光板１に重合するように配置してあり、該透明カバー４は、上記のように支持枠５の上下端と該透明カバー４の長手方向上下端を覆うように配置した対向配置の端部保持枠７に保持したものとしてある。
【００３１】
このとき、本例にあって該端部保持枠７は、その長手方向両端、特に上記支持枠５の上下端と部分的に重合する位置に透設した上下各２箇所の透孔からネジ８、本例にあってはボルトを、該支持枠５の起立板５２の上記傾斜長孔５３及び反射シート２の該当位置に透設した透孔を介して、上記導光板１のインサートナット８１にそれぞれ螺入するようにしてある。これによって、上記反射シート２、光拡散シート３の左右の対向端面に配置した支持枠５と上記端部保持枠７を上記４箇所のボルトによって一体的に固定し且つ該端部保持枠７によって最表面に位置する上記透明カバー４を保持して、上記面照明体Ａを構成したものとしてある。
【００３２】
図中６１はＬＥＤユニット６の電源接続コード、８２は、本例にあって支持枠５と端部保持枠７間に配置したワッシャー、９は面照明体Ａを壁掛け支持するに用いる吊金具を示す。
【００３３】
このように構成した面照明体Ａは、端部保持枠７を固定した４箇所のうち上下一方に位置する左右２箇所のネジ８を外して、該上下一方の端部保持枠７を取り除けば、該端部保持枠７によって保持した透明カバー４を上下一方に向けて抜き取ることが可能となるから、該透明カバー４を取外した状態とすれば、背面照明の対象としてポジフィルム等の光透過材（図示省略）を導光板１の正面、本例にあっては光拡散シート３の正面に重合配置して設置し、また、これを交換することができる。このとき上下他方に残余の端部保持枠７を取り外す必要はないから、面照明体Ａとしての一体性は該残余の端部保持枠７によって維持され、従って、該面照明体Ａを分解することなく、上記交換をなし得て使い勝手のよい面照明体とすることができる。
【００３４】
本例の面照明体Ａは、上記のようにその全体を１５ｍｍ程度の従来にない薄型のものとする一方、該面照明体Ａを高温や高湿となる場所、例えば、太陽の直射光を受ける屋外に南面に向くように設置して合成樹脂製の導光板１が熱膨張収縮しても、上記支持枠５の傾斜透孔５３を熱膨張収縮方向に傾斜してあるから、上記導光板１に螺入したネジ８が、支持枠５の傾斜長孔５３に沿って移動する結果、該導光板１の熱膨張収縮を吸収し、該導光板１とこれを固定した支持枠５の位置関係が相対化し、該支持枠５を含めて面照明体Ａのいずれかの部位に無理な外力が作用することがなくなり、該外力の作用によって生じた断線によるＬＥＤユニット６の不点灯等のトラブルがなく、長期に亘って安定した背面照明を行う面照明体Ａとすることができる。
【００３５】
以上は面照明体Ａをディスプレー、サインの如くに背面照明するものとして構成した例であるが、本発明の面照明体は、上記背面照明以外に、面の照明をなすプレート状の照明具として用いることができ、このとき、該照明具としての面照明体は、そのＬＥＤ光源の発熱による合成樹脂製導光板の熱膨張収縮を、該導光板の支持枠に配置した熱膨張収縮方向に向けた傾斜長孔を介して導光板に螺入したネジによって吸収自在としたものとして、導光板を部材を重合するベース板としてその裏面に反射板又は反射シートを重合配置し、上記支持枠を、ＬＥＤ光源を収納した光源ホルダーと該光源ホルダーから上記反射板の裏面に沿うように配置した起立板を同様に有する断面Ｌ字状又は断面Ｕ字状とし、該支持枠の起立板に上記傾斜長孔を配置し、例えば、上記ネジを、導光板に配置したインサートナットに、上記起立板の傾斜長孔からのネジを螺入し、また、必要に応じて導光板の正面に導光板からの出射光を拡散する光拡散板又は光拡散シートを重合固定するようにして、これを構成できる。
【００３６】
即ち、照明具とするとき、天付け、壁付けのように天井、壁面への設置金具を備えたものとする必要があるが、面照明体としては、上記導光板、裏面の反射板又は反射シートと支持枠を備えた形態とし、必要に応じて更に正面の光拡散板又は光拡散シート、特に正面の光拡散板を備えた形態のものとすればよく、これによって、照明面を可及的広面積に確保したものとすることができ、また、上記ＬＥＤ光源を高輝度のものとしたときの該ＬＥＤ光源の発熱による導光板の熱膨張収縮に対応したものとすることができる。このとき、反射板、光拡散板を用いる場合、該反射板は光反射機能を備えた金属、合成樹脂製のパネルとし、該光拡散板は、光拡散機能を備えた合成樹脂製のパネルを、可及的薄肉に形成して用いることができる。また、このように形成した照明具は、上記天井、壁面に対して埋込設置したり、例えば、商品陳列棚の棚に対して埋込設置したりして、その設置態様を様々なものとすることができる。
【００３７】
更に、支持枠を、起立板を対向配置することによって断面Ｕ字状とすること、起立板を光源ホルダーに先付け乃至後付け固定する如くに光源ホルダーに一体的に配置したものとすること、端部保持枠を用いるとき、不透明合成樹脂やアルミによって一体に形成し、また、これら不透明な断面Ｌ字状に形成したものの上記透明カバー側正面に透明な合成樹脂板を先付け乃至後付固定する如くに一体的に配置したものとすること、ネジ可動孔を導光板の熱膨張収縮を吸収可能な径を有する円形とし、更に楕円、矩形等適宜な形状のものとすること等を含めて、本発明の実施に当って、面照明体、合成樹脂製導光板、支持枠、光源ホルダー、起立板、ネジ可動孔、ネジ、反射板又は反射シート、ＬＥＤ光源、必要に応じて用いる光拡散板又は光拡散シート、インサートナット、透明カバー、端部保持枠等の各具体的形状、構造、材質、これらの関係、これらに対する付加等は、上記発明の要旨に反しない限り様々な形態のものとすることができる。
【符号の説明】
【００３８】
Ａ  面照明体
１  導光板
１１  入射端面
２  反射シート
３  光拡散シート
４  透明カバー
５  支持枠
５１  光源ホルダー
５２  起立板
５３  ネジ可動孔
６  ＬＥＤユニット
６１  電源接続コード
７  端部保持枠
８  ネジ
８１  インサートナット
８２  ワッシャー
９  吊金具
【図１】
2012109207.tif 000003
【図２】
2012109207.tif 000004
【図３】
2012109207.tif 000005
【図４】
2012109207.tif 000006
【図５】
2012109207.tif 000007
【図６】
2012109207.tif 000008